(57)【要約】【課題】利便性を向上させつつ、補充作業を容易なものとすること。【解決手段】棚枠部材１０に設けられた棚板ユニット２０に商品を載置させた商品載置棚１であって、棚板ユニット２０は、収納位置と繰出位置との間で、それぞれが前後方向に沿ってスライド可能となる態様で棚枠部材１０に取り付けられた第１棚板２０ａ及び第２棚板２０ｂを備え、棚枠部材１０は、前端部分に商品ストッパ１４が取り付けられて構成され、第１棚板２０ａ及び第２棚板２０ｂが収納位置に配置される場合に、一方の棚板が他方の棚板の上方となるように互いに重なり合わせて一方の棚板に商品を載置させ、一方の棚板が収納位置から繰出位置に向けてスライドする場合に、商品ストッパ１４が商品に当接して他方の棚板に商品を載置させ、一方の棚板が繰出位置から収納位置に向けてスライドする場合に、一方の棚板が他方の棚板の下方となるよう互いに重なり合わせることを許容している。【選択図】図１
2020110499.tif 000002
【特許請求の範囲】
【請求項１】
棚枠部材に設けられた棚板ユニットに商品を載置させるようにした商品載置棚であって、
前記棚板ユニットは、収納位置と該収納位置よりも前方側の繰出位置との間で、それぞれが前後方向に沿ってスライド可能となる態様で前記棚枠部材に取り付けられた第１棚板及び第２棚板を備え、
前記棚枠部材は、前端部分に商品ストッパが取り付けられて構成されており、前記第１棚板及び前記第２棚板が前記収納位置に配置される場合には、これら第１棚板及び第２棚板の一方の棚板が他方の棚板の上方となるように互いに重なり合わせて該一方の棚板に商品を載置させる一方、前記一方の棚板が該収納位置から前記繰出位置に向けてスライドする場合には、前記商品ストッパが前記商品に当接して前記収納位置に配置された前記他方の棚板に該商品を載置させ、更に前記一方の棚板が前記繰出位置から前記収納位置に向けてスライドする場合には、該一方の棚板が前記他方の棚板の下方となるよう互いに重なり合わせることを許容することを特徴とする商品載置棚。
【請求項２】
前記棚枠部材は、前記一方の棚板が前記収納位置から前記繰出位置に向けてスライドする場合、前記他方の棚板が前記収納位置から前方に向けてスライドすることを規制する棚板ストッパを備えたことを特徴とする請求項１に記載の商品載置棚。
【請求項３】
前記棚枠部材は、前記商品ストッパが上下方向に沿って移動可能に取り付けられたことを特徴とする請求項１又は請求項２に記載の商品載置棚。
【請求項４】
前記第１棚板及び前記第２棚板は、それぞれ下端面に前後方向に沿って延在する態様で設けられた樹脂製の棚板ガイドを備えたことを特徴とする請求項１〜３のいずれか１つに記載の商品載置棚。
【発明の詳細な説明】
【技術分野】
【０００１】
本発明は、商品載置棚に関するものである。
【背景技術】
【０００２】
従来、例えばスーパーマーケットやコンビニエンスストア等の店舗では、商品を商品載置棚に載置させた状態でケース本体の内部に収納するようにしたショーケースが多く適用されている。
【０００３】
この種のショーケースでは、商品載置棚の前方部分に載置された商品が店舗の顧客等の利用者に取り出されるため、店舗の従業員等の作業者は、商品載置棚の後方部分に載置された商品を前方部分に移動させ、該後方部分に新たな商品を載置する前出し作業を定期的に行うことが一般的である。
【０００４】
そのような前出し作業を定期的に行うことは作業者にとって煩わしいので、載置された商品を常時前方に向けて押圧する商品押圧体を備えた商品載置棚が提案されている（例えば、特許文献１参照）。
【先行技術文献】
【特許文献】
【０００５】
【特許文献１】特許第４９３１８１７号公報
【発明の概要】
【発明が解決しようとする課題】
【０００６】
ところで、上述した特許文献１に提案されている商品載置棚では、商品押圧体が商品を常時前方に向けて押圧していたので、次のような問題があった。
【０００７】
すなわち、商品載置棚に対して新たな商品を補充する場合には、商品押圧体を後方側に移動させながら商品を商品載置棚の後方部分に載置させなければならず、商品の補充作業が煩雑なものとなる虞れがあった。また載置された商品は常時前方に向けて押圧されているので、利用者が商品を一旦取り出して再び戻す場合に、載置されている商品を後方に向けて押圧してスペースを確保してから取り出した商品を戻さなければならず、利用者にとっても不便なものとなる虞れがあった。
【０００８】
本発明は、上記実情に鑑みて、利便性を向上させつつ、補充作業を容易なものとすることができる商品載置棚を提供することを目的とする。
【課題を解決するための手段】
【０００９】
上記目的を達成するため、本発明に係る商品載置棚は、棚枠部材に設けられた棚板ユニットに商品を載置させるようにした商品載置棚であって、前記棚板ユニットは、収納位置と該収納位置よりも前方側の繰出位置との間で、それぞれが前後方向に沿ってスライド可能となる態様で前記棚枠部材に取り付けられた第１棚板及び第２棚板を備え、前記棚枠部材は、前端部分に商品ストッパが取り付けられて構成されており、前記第１棚板及び前記第２棚板が前記収納位置に配置される場合には、これら第１棚板及び第２棚板の一方の棚板が他方の棚板の上方となるように互いに重なり合わせて該一方の棚板に商品を載置させる一方、前記一方の棚板が該収納位置から前記繰出位置に向けてスライドする場合には、前記商品ストッパが前記商品に当接して前記収納位置に配置された前記他方の棚板に該商品を載置させ、更に前記一方の棚板が前記繰出位置から前記収納位置に向けてスライドする場合には、該一方の棚板が前記他方の棚板の下方となるよう互いに重なり合わせることを許容することを特徴とする。
【００１０】
また本発明は、上記商品載置棚において、前記棚枠部材は、前記一方の棚板が前記収納位置から前記繰出位置に向けてスライドする場合、前記他方の棚板が前記収納位置から前方に向けてスライドすることを規制する棚板ストッパを備えたことを特徴とする。
【００１１】
また本発明は、上記商品載置棚において、前記棚枠部材は、前記商品ストッパが上下方向に沿って移動可能に取り付けられたことを特徴とする。
【００１２】
また本発明は、上記商品載置棚において、前記第１棚板及び前記第２棚板は、それぞれ下端面に前後方向に沿って延在する態様で設けられた樹脂製の棚板ガイドを備えたことを特徴とする。
【発明の効果】
【００１３】
本発明によれば、棚枠部材が、前端部分に商品ストッパが取り付けられて構成されている。この棚板部材が、第１棚板及び第２棚板が収納位置に配置される場合には、これら第１棚板及び第２棚板の一方の棚板が他方の棚板の上方となるように互いに重なり合わせて該一方の棚板に商品を載置させる一方、一方の棚板が該収納位置から繰出位置に向けてスライドする場合には、商品ストッパが商品に当接して前記収納位置に配置された他方の棚板に該商品を載置させ、更に一方の棚板が繰出位置から収納位置に向けてスライドする場合には、該一方の棚板が他方の棚板の下方となるよう互いに重なり合わせることを許容するので、一方の棚板を繰出位置までスライドさせるだけで、容易に商品の前出しを行うことができる。しかも、従来のように商品を常時前方に押圧する商品押圧体を必要としないので、利用者は一旦取り出した商品を、該商品が載置されていたスペースに容易に戻すことができ便利である。よって、利便性を向上させつつ、補充作業を容易なものとすることができるという効果を奏する。
【図面の簡単な説明】
【００１４】
【図１】図１は、本発明の実施の形態である商品載置棚の外観構成を示す斜視図である。
【図２】図２は、本発明の実施の形態である商品載置棚の外観構成を示す斜視図である。
【図３】図３は、図１及び図２に示した棚枠部材を示す斜視図である。
【図４】図４は、図１及び図２に示した商品載置棚の要部の断面図である。
【図５】図５は、図１及び図２に示した商品載置棚の要部の断面図である。
【図６】図６は、図１及び図２に示した棚板ユニットを示す分解斜視図である。
【図７】図７は、図１及び図２に示した棚板ユニットを示す分解斜視図である。
【図８】図８は、本発明の実施の形態である商品載置棚において、第１棚板を前方にスライドさせた状態を示す斜視図である。
【図９】図９は、図８の商品載置棚の要部を拡大して示す拡大斜視図である。
【図１０】図１０は、図１に示した商品載置棚の動作を示す断面側面図である。
【図１１】図１１は、図１に示した商品載置棚の動作を示す断面側面図である。
【図１２】図１２は、図１に示した商品載置棚の動作を示す断面側面図である。
【発明を実施するための形態】
【００１５】
以下に添付図面を参照して、本発明に係る商品載置棚の好適な実施の形態について詳細に説明する。
【００１６】
図１及び図２は、それぞれ本発明の実施の形態である商品載置棚の外観構成を示す斜視図である。ここで例示する商品載置棚１は、例えばスーパーマーケットやコンビニエンスストア等の店舗に設置されるショーケースに適用されるものであり、棚枠部材１０及び棚板ユニット２０を備えて構成してある。
【００１７】
図３は、図１及び図２に示した棚枠部材１０を示す斜視図である。この図３に示すように、棚枠部材１０は、台座枠部１１、側枠部１２及び後枠部１３を備えて構成してある。台座枠部１１は、例えば板金等に曲げ加工を施して形成された板状部材で、略水平に延在している。
【００１８】
側枠部１２は、左右一対となる態様で、それぞれ台座枠部１１の左右両端部分に取り付けてある。これら側枠部１２は、それぞれ前後方向に沿って延在する長尺状部材であり、台座枠部１１よりも上方に向けて突出している。このような側枠部１２の前端部には、商品ストッパ１４が架設してある。商品ストッパ１４は、左右方向が長手方向となる長尺平板状部材である。このことについて詳細に説明する。
【００１９】
上記側枠部１２の前端部には、図４及び図５にも示すように、上方及び内方に開放したスリット１２１が形成してあるとともに、該スリット１２１を形成する後縁部に上方に向けて突出するフック１２２が形成してある。フック１２２は、その上端部分に前方に向けて突出する係止部１２２ａが形成してある。尚、内方は、左右一対の側枠部１２においては、互いに近接する側を示しており、左方の側枠部１２では右側を示し、右方の側枠部１２では左側を示している。
【００２０】
これにより商品ストッパ１４は、左右両端部分がそれぞれスリット１２１に挿入されており、スリット１２１の下端部分とフック１２２の係止部１２２ａとの間において、上下方向に沿って移動可能に架設してある。つまり、棚枠部材１０は、商品ストッパ１４が上下方向に沿って移動可能に取り付けられている。
【００２１】
それぞれの側枠部１２の内方には、前後方向に沿って延在する進入溝１２３が形成してある。進入溝１２３は、スリット１２１よりも下方側であって、側枠部１２の前後方向の全域に亘って形成してある。また進入溝１２３の前端部分には、内方に向けて突出する規制突起１２３ａが形成してある。
【００２２】
後枠部１３は、左右方向に沿って延在する長尺状部材であり、台座枠部１１の後端部分に上方に向けて突出する態様で取り付けてある。この後枠部１３の左右両端部分は、それぞれ側枠部１２の後端部分に接している。
【００２３】
そのような構成を有する棚枠部材１０には、棚板ストッパ１５が設けてある。棚板ストッパ１５は、例えば樹脂材により構成されるもので、前後方向が長手方向となる長尺状部材である。この棚板ストッパ１５は、台座枠部１１における左右方向の中央部分に取り付けてある。この棚板ストッパ１５は、前端面が台座枠部１１の前端縁に一致し、後端面が後枠部１３の前面に接する態様で台座枠部１１に取り付けてある。
【００２４】
かかる棚板ストッパ１５の前端部には、係止ストッパ部１５１が形成してある。係止ストッパ部１５１は、棚板ストッパ１５の前端部であって商品ストッパ１４の後方側となる部分に左右一対となる態様で設けてあり、それぞれが後方に向かうに連れて漸次上方に傾斜している。
【００２５】
棚板ユニット２０は、図６及び図７に示すように、第１棚板２０ａ及び第２棚板２０ｂを備えている。第１棚板２０ａ及び第２棚板２０ｂは、同等の大きさを有しており、それぞれ棚板基部２１及び棚板ガイド２２を備えている。
【００２６】
棚板基部２１は、例えば板金等から構成された平板状部材であり、左右両端部分に樹脂製の摺動部材２１１が取り付けてある。これら摺動部材２１１は、棚板基部２１よりも上方及び下方に突出する態様で該棚板基部２１の左右両端部分に取り付けてある。
【００２７】
また棚板基部２１の左右両端部分の後端には、それぞれ外方に向けて突出する規制片部２１２が形成してある。ここで外方は、棚板基部２１の左端部分においては左側を示し、棚板基部２１の右端部分では右側を示す。これら規制片部２１２は、摺動部材２１１よりもそれぞれ外方に突出している。
【００２８】
棚板ガイド２２は、例えば樹脂材により構成された樹脂製のもので、前後方向が長手方向となる長尺状部材である。このような棚板ガイド２２は、棚板基部２１の下端面における左右方向の中央部分に、該棚板基部２１の前後方向の全域に亘って取り付けてある。かかる棚板ガイド２２の前端部には、係止片部２２１が形成してある。係止片部２２１は、棚板ガイド２２の前端部となる部分に左右一対となる態様で設けてあり、それぞれが外方に向かって突出するように形成してある。
【００２９】
また棚板ガイド２２の前端部分及び後端部分には、それぞれ前端傾斜部２２２及び後端傾斜部２２３が形成してある。前端傾斜部２２２は、前方に向かうに連れて漸次上方に傾斜した前方傾斜面２２２ａを有しており、後端傾斜部２２３は、後方に向かうに連れて漸次上方に傾斜した後方傾斜面２２３ａを有している。
【００３０】
そのような棚板ユニット２０は、第１棚板２０ａ及び第２棚板２０ｂのそれぞれの左右両端部分が進入溝１２３に挿入されることにより、棚枠部材１０に取り付けてある。より詳細に説明すると、第１棚板２０ａ及び第２棚板２０ｂは、進入溝１２３の延在方向（前後方向）に沿ってスライド可能であり、後端部が後枠部１３の前端面に接する収納位置と、図８及び図９に示すように、規制片部２１２が規制突起１２３ａに当接する繰出位置との間でスライド可能である。つまり、繰出位置は、収納位置よりも前方側である。
【００３１】
そして、棚板ユニット２０は、図１及び図２に示すように、第１棚板２０ａ及び第２棚板２０ｂがともに収納位置に配置される場合、第１棚板２０ａ及び第２棚板２０ｂの一方の棚板（図示の例では第１棚板２０ａ）が他方の棚板（図示の例では第２棚板２０ｂ）の上方となるように互いに重なり合っている。
【００３２】
このとき、図４及び図５に示すように、他方の棚板の棚板ガイド２２における係止片部２２１の前方側に、棚板ストッパ１５の係止ストッパ部１５１が配置され、他方の棚板が繰出位置へスライドすることを規制している。つまり、棚板ガイド２２の棚板ストッパ１５は、一方の棚板が収納位置から繰出位置に向けてスライドする場合、他方の棚板が収納位置から前方に向けてスライドすることを規制するものである。
【００３３】
以上のような構成を有する商品載置棚１では、次のようにして載置する商品を前出しさせることができる。
【００３４】
まず、図１０に示すように、第１棚板２０ａ及び第２棚板２０ｂがともに収納位置に配置されるとともに、第１棚板２０ａが第２棚板２０ｂの上方となるように互いに重なり合っているものとする。そして、第１棚板２０ａの棚板基部２１の上面に商品Ｗが載置されているものとする。このとき、第２棚板２０ｂの棚板ガイド２２の係止片部２２１の前方側に棚板ストッパ１５の係止ストッパ部１５１が配置されている。
【００３５】
次に、第１棚板２０ａの前端部に載置された商品Ｗが利用者により取り出された場合、作業者が次のようにして前出し作業を行う。すなわち、作業者が第１棚板２０ａの棚板基部２１の前端部分を手指で摘み、該第１棚板２０ａを前方に引き出す。これにより第１棚板２０ａは、図１１に示すように、収納位置から繰出位置まで前方に向けてスライドする。このとき、第２棚板２０ｂの係止片部２２１の前方側に係止ストッパ部１５１が配置されているので、第２棚板２０ｂは、第１棚板２０ａとともに前方側にスライドすることが規制される。
【００３６】
第１棚板２０ａの後端部に載置された商品Ｗは、第１棚板２０ａとともに前方に向けてスライドするが、その途中で商品ストッパ１４に当接して前方へのスライドが規制され、第２棚板２０ｂの前端部に載置されることになる。尚、繰出位置までスライドした第１棚板２０ａは、収納位置に配置された第２棚板２０ｂと同一の高さレベルになる。
【００３７】
そして、作業者が繰出位置までスライドさせた第１棚板２０ａを後方に向けて押し込む。これにより第１棚板２０ａは、棚板基部２１の後端部分が第２棚板２０ｂの棚板ガイド２２の前端傾斜部２２２における前方傾斜面２２２ａに摺接することで、図１２に示すように、第２棚板２０ｂを前方に向かうに連れて漸次上方傾斜する傾斜姿勢にさせる。そして、押し込まれる第１棚板２０ａが、収納位置までスライドすることにより、該第１棚板２０ａが第２棚板２０ｂの下方となるように該第２棚板２０ｂと互いに重なり合う。この結果、商品Ｗを前出しさせることができる。
【００３８】
このように棚枠部材１０は、第１棚板２０ａ及び第２棚板２０ｂが収納位置に配置される場合には、これら第１棚板２０ａ及び第２棚板２０ｂの一方の棚板（図示の例では第１棚板２０ａ）が他方の棚板（図示の例では第２棚板２０ｂ）の上方となるように互いに重なり合わせて該一方の棚板に商品Ｗを載置させる一方、一方の棚板が収納位置から繰出位置に向けてスライドする場合には、商品ストッパ１４が商品Ｗに当接して収納位置に配置された他方の棚板に該商品Ｗを載置させ、更に一方の棚板が繰出位置から収納位置に向けてスライドする場合には、該一方の棚板が他方の棚板の下方となるよう互いに重なり合わせることを許容している。
【００３９】
以上説明したように、本実施の形態である商品載置棚１によれば、棚枠部材１０が、第１棚板２０ａ及び第２棚板２０ｂが収納位置に配置される場合には、これら第１棚板２０ａ及び第２棚板２０ｂの一方の棚板が他方の棚板の上方となるように互いに重なり合わせて該一方の棚板に商品Ｗを載置させる一方、一方の棚板が該収納位置から繰出位置に向けてスライドする場合には、前端部分に取り付けられた商品ストッパ１４が商品Ｗに当接して収納位置に配置された他方の棚板に該商品Ｗを載置させ、更に一方の棚板が繰出位置から収納位置に向けてスライドする場合には、該一方の棚板が他方の棚板の下方となるよう互いに重なり合わせることを許容するので、一方の棚板を繰出位置までスライドさせるだけで、容易に商品Ｗの前出しを行うことができる。しかも、従来のように商品を常時前方に押圧する商品押圧体を必要としないので、利用者は一旦取り出した商品Ｗを、該商品Ｗが載置されていたスペースに容易に戻すことができ便利である。よって、利便性を向上させつつ、補充作業を容易なものとすることができる。
【００４０】
上記商品載置棚１によれば、棚板ストッパ１５が、一方の棚板が収納位置から繰出位置に向けてスライドする場合、他方の棚板が収納位置から前方に向けてスライドすることを規制するので、他方の棚板が一方の棚板とともにスライドすることを抑制することができる。
【００４１】
上記商品載置棚１によれば、商品ストッパ１４が上下方向に沿って移動可能に取り付けてあるので、商品ストッパ１４を上方に移動させることで、作業者が一方の棚板の前端部分を手指で容易に摘むことができ、補充作業等の容易化を図ることができる。
【００４２】
上記商品載置棚１によれば、樹脂製の棚板ガイド２２が第１棚板２０ａ及び第２棚板２０ｂの下端面に設けられていたので、第１棚板２０ａと第２棚板２０ｂとの間での摺動による抵抗を低減させることができる。
【００４３】
以上、本発明の好適な実施の形態について説明したが、本発明はこれに限定されるものではなく、種々の変更を行うことができる。
【００４４】
上述した実施の形態では、一方の棚板を収納位置から繰出位置までスライドさせた場合に、該一方の棚板と他方の棚板との高さレベルを同一にさせていたが、本発明においては、一方の棚板を後方に向かうに連れて下方に傾斜した姿勢にさせて後方にスライドさせてもよい。また一方の棚板が繰出位置までスライドした場合に、他方の棚板を前方に向かうに連れて漸次上方に傾斜する姿勢にさせる部材を設けてもよい。
【符号の説明】
【００４５】
１  商品載置棚
１０  棚枠部材
１１  台座枠部
１２  側枠部
１２３  進入溝
１３  後枠部
１４  商品ストッパ
１５  棚板ストッパ
１５１  係止ストッパ部
２０  棚板ユニット
２０ａ  第１棚板
２０ｂ  第２棚板
２１  棚板基部
２１２  規制片部
２２  棚板ガイド
２２１  係止片部
２２２  前端傾斜部
２２３  後端傾斜部
【図１】
2020110499.tif 000003
【図２】
2020110499.tif 000004
【図３】
2020110499.tif 000005
【図４】
2020110499.tif 000006
【図５】
2020110499.tif 000007
【図６】
2020110499.tif 000008
【図７】
2020110499.tif 000009
【図８】
2020110499.tif 000010
【図９】
2020110499.tif 000011
【図１０】
2020110499.tif 000012
【図１１】
2020110499.tif 000013
【図１２】
2020110499.tif 000014